(57)【特許請求の範囲】
【請求項１】
第１スナップ部材（１０、５０）と、第１スナップ部材（１０、５０）と係合及び脱係合可能な第２スナップ部材（２０、６０）とからなるスナップボタンであって、
第１スナップ部材（１０、５０）は、一枚の金属製の板から形成され、円板状の第１底部（１１、５１）と、第１底部（１１、５１）の周縁から立ち上がる、周方向に連続する周側壁（１２、５２）と、周側壁（１２、５２）よりも半径方向内側において、第１底部（１１、５１）を切開して第１底部（１１、５１）から立ち上げた、周方向に複数の第１係合部（１３、１３ｆ、５３）とを含み、
前記第１底部（１１、５１）は、周側壁（１２、５２）と第１係合部（１３、１３ｆ、５３）との間に形成された、各第１係合部（１３、１３ｆ、５３）に対応する切開部（１５、５５）と、第１スナップ部材（１０、５０）を生地（１）に取り付ける際に、取付部材（３０）のポスト部（３２）を受け入れるための孔部（１４、５４）と、第１係合部（１３、１３ｆ、５３）よりも半径方向内側の底部中央領域（１１ｂ）とを有し、
各第１係合部（１３、１３ｆ、５３）は、その上端側に、半径方向外側に膨らむ外側膨張部（１３ｂ、５３ｂ）を有し、
第２スナップ部材（２０、６０）は、円形の第２底部（２１、６１）と、第２底部（２１、６１）の周縁から立ち上がる、周方向に連続する第２係合部（２２、６２）とを含み、
第２係合部（２２、６２）は、その上端側に、半径方向内側に膨らむ内側膨張部（２２ｂ、６２ｂ）を有し、
第１スナップ部材（１０、５０）及び第２スナップ部材（２０、６０）が同心状にある際、前記外側膨張部（１３ｂ、５３ｂ）の半径方向外側端は、前記内側膨張部（２２ｂ、６２ｂ）の半径方向内側端（２２ｄ、６２ｄ）よりも半径方向外側に位置し、
第２スナップ部材（２０、６０）の第２係合部（２２、６２）を第１スナップ部材（１０、５０）の周側壁（１２、５２）の内側と第１係合部（１３、１３ｆ、５３）の外側との間で、周側壁に沿って形成される環状空間（１６）に挿入することにより、第１スナップ部材（１０、５０）と第２スナップ部材（２０、６０）が係合し、
前記第１スナップ部材（１０、５０）の周側壁（１２、５２）は、その上端側に、半径方向内側に湾曲する湾曲部（１２ａ、５２ａ）を有するスナップボタン。
【請求項２】
前記第１スナップ部材（１０、５０）の周側壁（１２、５２）の上端（１２ｂ）は第１係合部（１３、５３）の上端（１３ｃ）よりも上方に位置する請求項１のスナップボタン。
【請求項３】
前記第１スナップ部材（５０）は、第１底部（５１）に、周方向に隣り合う二つの切開部（５５）間の非切開部（５１ｃ）を含み、各非切開部（５１ｃ）にリブ（５７）を設けた請求項１又は２のスナップボタン。
【請求項４】
前記第２スナップ部材（２０）の第２係合部（２２）の内側膨張部（２２ｂ）における半径方向の寸法は、第１スナップ部材（１０、５０）の第１係合部（１３、１３ｆ、５３）の外側膨張部（１３ｂ、５３ｂ）における半径方向の寸法よりも大きい請求項１のスナップボタン。
【発明の詳細な説明】
【技術分野】
【０００１】
本発明はスナップボタンに関し、特に、一対のスナップ部材を係合及び脱係合させる金属製のスナップボタンに関する。
【背景技術】
【０００２】
一対の雄スナップと雌スナップを係合及び脱係合させるスナップボタンは、衣類、鞄類等の合わせ目に広く使用されている。雄スナップは係合突起を備え、雌スナップには、雄スナップの係合突起を着脱させる凹部が設けられる。係合突起の突出側端部は外径が若干拡大され（以下「拡径部」という。）、他方、凹部の開放側端部は、内径が、係合突起の拡径部の外径よりもわずかに小さくなるように縮小される（以下「縮径部」という。）。雄スナップと雌スナップを係合させる場合、雄スナップの係合突起の拡径部が雌スナップの凹部の縮径部を乗り越える時に、係合突起の拡径部及び／又は凹部の縮径部が一時的に半径方向に弾性変形し、拡径部が縮径部を乗り越えると、拡径部及び／又は縮径部が復元し、雄スナップと雌スナップの結合が完了する。雌スナップと雌スナップの係合状態において、これが離脱抵抗となって、雄スナップと雌スナップの安易な離脱が防止される。【０００３】
金属製のスナップボタンでは、樹脂製のものに比べ弾性変形性能が小さいため、上述した係合突起の拡径部の外径と凹部の縮径部の内径との差を大きく設定できない。そのため、上記離脱抵抗が小さくなって、雄スナップの係合突起が雌スナップの凹部から抜け易くなり得る。これを補うため、従来から、雌スナップの凹部に別個のバネ部材が付加され、雄スナップの係合突起の拡径部をバネ部材により弾性的に保持している。しかしながら、バネ部材を使用する雌スナップでは、製造が複雑でコストアップを招くのみならず、近年求められている部品の軽量化のニーズにも反する。【０００４】
バネ部材を用いずに金属製の雌スナップの凹部の弾性変形性能を高める技術として、実開昭５０−３７０４号公報には、凹部を規定する環状部に複数のスリットを入れて周方向に分割して成る雌スナップが開示される。しかしながら、そのような雌スナップでは、雄スナップと結合した状態で、雌スナップと雄スナップに生地を介して両者を水平方向逆向きに引っ張る力（横引き力）が作用した場合、雌スナップの分割された環状部が変形し易いため、雄スナップと雌スナップが離脱し易く、また、雌スナップの環状部が弾性変形可能な範囲を超えて塑性変形するおそれもある。また、雌スナップに雄スナップを係合させる際に、雌スナップの凹部に対し雄スナップの係合突起の位置をある程度正確に合わせる必要があり、雌スナップと雄スナップの係合操作が面倒であった。更に、雌スナップの環状部のスリットに衣服等が引っ掛かったり、使用者の皮膚等が傷付けられるおそれがある。
【先行技術文献】
【特許文献】
【０００５】
【特許文献１】実開昭５０−３７０４号公報
【発明の概要】
【発明が解決しようとする課題】
【０００６】
本発明は、以上のような問題点に鑑みてなされたものであり、その目的は、別個のバネ部材を用いることなく弾性変形性能を高めることができ、軽量化のニーズに応えることができる金属製のスナップボタンを提供することにある。また、本発明の目的は、横引き力に対し容易には離脱せず、係合操作が容易で、衣服等が引っ掛かったり、使用者の皮膚等が傷付けられことのない金属製のスナップボタンを提供することにある。
【課題を解決するための手段】
【０００７】
上記課題を解決するため、本発明に係るスナップボタンによれば、第１スナップ部材と、第１スナップ部材と係合及び脱係合可能な第２スナップ部材とからなるスナップボタンであって、第１スナップ部材は、一枚の金属（銅合金、アルミニウム合金等）製の板から形成され、円板状の第１底部と、第１底部の周縁から立ち上がる、周方向に連続する周側壁と、周側壁よりも半径方向内側において、第１底部を切開して第１底部から立ち上げた、周方向に複数の第１係合部とを含み、各第１係合部は、その上端側に、半径方向外側に膨らむ外側膨張部を有し、第２スナップ部材は、円形の第２底部と、第２底部から立ち上がる、周方向に連続する第２係合部とを含み、第２係合部は、その上端側に、半径方向内側に膨らむ内側膨張部を有し、第１スナップ部材及び第２スナップ部材が同心状にある際、前記外側膨張部の半径方向外側端は、前記内側膨張部の半径方向内側端よりも半径方向外側に位置し、第２スナップ部材の第２係合部を第１スナップ部材の周側壁の内側と第１係合部の外側との間で、周側壁に沿って形成される環状空間に挿入することにより、第１スナップ部材と第２スナップ部材が係合するスナップボタンが提供される。【０００８】
本発明では、第１スナップ部材（下記の実施形態において「雌スナップ」と称される）の周側壁と第１係合部との間の環状空間に第２スナップ部材（下記の実施形態において「雄スナップ」と称される）の第２係合部を出し入れすることにより、第１スナップ部材と第２スナップ部材の係合及び脱係合が行われる。第１係合部は、周方向に不連続の複数の部分であるため、周方向に連続する周側壁及び第２係合部に比べ、半径方向に撓み易い。そのため、第１係合部と第２係合部の着脱が容易である。係合状態の第１スナップ部材と第２スナップ部材に横引き力が作用した場合、環状空間における第２係合部の水平変位を周側壁が制限するため、第１係合部が弾性変形可能な範囲を超えて塑性変形するような事態を防ぐことができる。【０００９】
本発明の一実施形態において、前記第１スナップ部材の周側壁は、その上端側に、半径方向内側に湾曲する湾曲部を有する。周側壁の湾曲部は、第２スナップ部材の第２係合部を環状空間に案内する役割を果たすことができ、また、使用者の皮膚等を傷付けることもない。【００１０】
本発明の一実施形態において、前記第１スナップ部材の周側壁の上端は第１係合部の上端よりも上方に位置する。この場合、第２スナップ部材の第２係合部が周側壁と第１係合部との間に嵌り易くなる。【００１１】
本発明の一実施形態において、前記第１スナップ部材は、第１底部に、各第１係合部に対応する切開部と、周方向に隣り合う二つの切開部間の非切開部とを含み、各非切開部にリブを設けている。このように非切開部にリブを設けることにより、切開部によって強度が低下した第１スナップの部材の第１底部を補強することができる。【００１２】
本発明の一実施形態において、前記第２スナップ部材の第２係合部の内側膨張部における半径方向の寸法は、第１スナップ部材の第１係合部の外側膨張部における半径方向の寸法よりも大きい。この場合、第１スナップ部材と第２スナップ部材間の係合、脱係合が円滑に行えるとともに、第２係合部が第１スナップ部材の環状空間内に円滑に挿入できる。
【発明の効果】
【００１３】
本発明に係るスナップボタンでは、第１スナップ部材の第１底部を切開して立ち上げた周方向に複数の第１係合部が、周方向に不連続の複数の部分であるため、周方向に連続する周側壁及び第２係合部に比べ、半径方向に撓み易い。そのため、別個のボタン部材を使用することなく、第１係合部の弾性変形性能を高めることができ、コストアップを招くことなく軽量化のニーズに応えることができる。また、係合状態の第１スナップ部材と第２スナップ部材に横引き力が作用した場合、環状空間における第２係合部の水平変位を周側壁が制限するため、第２係合部が環状空間から抜け難く、また、第１係合部が弾性変形可能な範囲を超えて塑性変形するような事態を防ぐことができる。【００１４】
また、第１スナップ部材の周側壁の上端側に半径方向内側に湾曲する湾曲部を設けることにより、第２スナップ部材の第２係合部が周側部の一部が湾曲部の表面を滑って第１スナップ部材の環状空間に案内され易くなる。更に、第１スナップ部材の周側壁の上端を第２係合部の上端よりも高くすることにより、第２スナップ部材の第２係合部が周側壁と第１係合部との間に嵌り易くなり、これによっても第２スナップ部材の第２係合部の環状空間への案内が助長される。更に、周側壁の、半径方向内側に湾曲する湾曲部は、衣服、皮膚等を傷付けることはない。
【図面の簡単な説明】
【００１５】
【図１】図１は、本発明の一実施形態に係るスナップボタンの第１スナップ部材である雌スナップを示す平面図である。
【図２】図２は、図１のＡ−Ａ線矢視断面図である。
【図３】図３は、図２の破断部分拡大図である。
【図４】図４は、本発明の一実施形態に係るスナップボタンの第２スナップ部材である雄スナップを示す平面図である。
【図５】図５は、図４のＢ−Ｂ線矢視断面図である。
【図６】図６は、雄スナップと雌スナップの結合前の同心対向配置状態を示す断面説明図である。
【図７】図７は、雄スナップと雌スナップを結合した状態を示す断面説明図である。
【図８】図８は、雌スナップに対し雄スナップが斜めに係合しようとしている状態を示す断面説明図である。
【図９】図９は、雌スナップと雄スナップに横引き力が作用して、雄側係合部が水平変位した状態を破断して示す部分断面説明図である。
【図１０】図１０は、雌スナップの変形例を示す平面図である。
【図１１】図１１は、図１０のＣ−Ｃ線矢視断面図である。
【図１２】図１２は、図１０のＤーＤ線断面図である。
【図１３】周側壁と雌側係合部が同じ高さである雌スナップの変形例を示す図３と同様の破断部分拡大図である。
【図１４】図１４は、雄スナップ部材（第２スナップ部材）の変形例を示す平面図である。
【図１５】図１４の雄スナップ部材を生地に取り付け状態の断面説明図である。
【発明を実施するための形態】
【００１６】
以下、本発明に係るスナップボタンの好適な実施形態について図面を参照しつつ説明する。図１は、本発明の一実施形態に係るスナップボタンを構成する第１スナップ部材である雌スナップ１０の平面図である。図２は図１のＡ−Ａ線矢視断面図である。雌スナップ１０は、一枚の金属製の板から絞り加工等して形成されるもので、円板状の底部１１と、底部１１の周縁から立ち上がり、かつ周方向（雌スナップ１０の軸線に対する周方向）に連続する円環状の周側壁１２と、周側壁１２よりも半径方向（雌スナップ１０に対する半径方向）内側において底部１１から立ち上がり、かつ周方向に等角度間隔で一例として五つ設けられた雌側係合部１３とを備える。底部１１の中央には、雌スナップ１０を生地１（図６等参照）に取り付ける際に、取付部材３０のポスト部３２（図６等参照）を受け入れるための円形の孔部１４が設けられる。また、底部１１における周側壁１２と雌側係合部１３との間の領域（以下「底部外側領域」という。）１１ａには、各雌側係合部１３を形成するために底部１１を切開した略矩形の切開部１５が周方向に五つ設けられる。底部外側領域１１ａにおける周方向に隣り合う二つの切開部１５の間それぞれには、扇形状の非切開部１１ｃが残る。各非切開部１１ｃは、底部１１における雌側係合部１３よりも半径方向内側の領域（以下「底部中央領域」という。）１１ｂと周側壁１２（の下端）とを連結する。底部中央流域１１ｂは底部外側領域１１ａよりもわずかに下方（雌スナップ１０の上下方向は図２に基づく）に突出し、底部中央流域１１ｂの半径方向外側端部は、底部外側領域１１ａへと上方かつ半径方向外側に若干傾斜して接続する。雌側係合部１３の半径方向における位置は、詳しくは後述するが、第２スナップ部材である雄スナップ２０の雄側係合部２２（図４等参照）との係合及び脱係合が可能となる位置に設定される。周側壁１２は、その下端すなわち底部１１との境界から上方へと半径方向外側に向かって若干傾斜しつつ直線状（非湾曲状）に延びた後、周側壁１２の上端側において半径方向内側にＣ字状に湾曲する（以下、この湾曲した部分を「湾曲部１２ａ」という。）。参照番号１２ｂは、周側壁１２の頂端（上端）であり、参照番号１２ｃは湾曲部１２ａの半径方向内側端を示す。
【００１７】
雌側係合部１３は、図３に拡大して示すように、底部１１（底部中央領域１１ｂの半径方向外側端）から上方へと、雌スナップ１０の軸線に平行に延びる係合基部１３ａと、係合基部１３ａの上端から上方へと半径方向外側に膨らんだ後、半径方向内側へとＣ字状に折り返されて、雌側係合部１３の上部を形成する外側膨張部１３ｂとを有する。外側膨張部１３ｂは雌側係合部１３の頂端（上端）１３ｃを含む。参照番号１３ｄは、外側膨張部１３ｂの半径方向外側端を示す。雌側係合部１３の頂端１３ｃの位置は、周側壁１２の頂端１２ｂの位置よりも若干低くなるように設計される。周方向に不連続に設けられている雌側係合部１３は、周方向に連続している周側壁１２に比べ、半径方向内外に撓み易い。雌スナップ１０には、周側壁１２と雄側係合部２２との間の底部外側領域１１ａ上に、上方に開放する環状空間１６が存在し、この環状空間１６に雄スナップ２０の雄側係合部２２（図４等参照）が出し入れされて、雄スナップ２０との着脱が行われる。
【００１８】
図４は、本発明の一実施形態に係るスナップボタンを構成する第２スナップ部材である雄スナップ２０の平面図である。図５は図４のＢ−Ｂ線矢視断面図である。雄スナップ２０も、雌スナップ１０と同様に一枚の金属板から絞り加工等して形成されるもので、略円板状の底部２１と、底部２１の周縁から立ち上がる、周方向に連続する円環状の雄側係合部２２とを備える。底部２１の中央には、雄スナップ２０を生地２（図６等参照）に取り付ける際に、取付部材４０のポスト部４２（図６等参照）を受け入れるための円形の孔部２３が設けられる。底部２１は、孔部２３の周囲の、水平（雄スナップ２０の軸線に垂直な任意の面をいう）に沿う底部中央部２１ａと、底部中央部２１ａよりも若干上方（雄スナップ２０の上下方向は図５に基づく）にて、雄側係合部２２の下端から半径方向内側に水平に延びる底部外側端部２１ｂと、底部中央部２１ａ（の半径方向外側端）と底部外側端部２１ｂ（の半径方向内側端）とを、前者から後者へと上方かつ半径方向外側に傾斜して連結する底部傾斜部２１ｃとを含む。雄側係合部２２は、その下端すなわち底部２１（底部外側端部２１ｂ）との境界から上方へと半径方向外側に向かって若干傾斜しつつ直線状（非湾曲状）に延びる係合基部２２ａと、係合基部２２ａの上端から半径方向内側へとＣ字状に湾曲して半径方向内側に膨らむ内側膨張部２２ｂとを有する。内側膨張部２２ｂは雄側係合部２２の頂端（上端）２２ｃを含む。参照番号２２ｄは、内側膨張部２２ｂの半径方向内側端を示し、また、参照番号２２ｅは、雄側係合部２２において半径方向外側に最も突出する半径方向外側端（雄側係合部２２の半径方向外側に向く面における係合基部２２ａと内側膨張部２２ｂの境界に一致）を示す。
【００１９】
図６は、上述した雌スナップ１０及び雄スナップ２０を取付部材３０及び４０により生地１及び２にそれぞれ取り付けた状態を、結合前の雌スナップ１０及び雄スナップ２０を同心状に対向配置して示す断面説明図である。雌スナップ１０用の取付部材３０は、周知の部品であるため詳述はしないが、略円板状のベース部３１と、ベース部３１から突出するポスト部３２とを備える。ポスト部３２は、図６等において加締められて変形した状態で示される。雌スナップ１０を生地１に取り付ける場合、図示しないプレス装置の下方ダイに取付部材３０を載置し、上方ダイに雌スナップ１０を保持させ、取付部材３０と雌スナップ１０との間に生地１を配した後、上方ダイを降下させる。これにより、取付部材３０のポスト部３２が生地１を上方に貫通し、次いで雌スナップ１０の孔部１４を通った後、上方ダイにより雌スナップ１０の底部１１上に加締められる。これにより、雌スナップ１０が生地１に固定される。雄スナップ２０用の取付部材４０も周知の部品であり、略円板状のベース部４１と、ベース部４１から突出するポスト部４２（図６等において変形した状態で示される）とを備える。雄スナップ２０の生地２への取り付けは、上述した雌スナップ１０の生地１への取り付けと同様に、生地２を貫通し次いで雄スナップ２０の孔部２３に通した取付部材４０のポスト部４２を加締めることによって行われる。
【００２０】
図６に示す雄スナップ２０と雌スナップ１０の結合前の同心配置状態で、雌側係合部１３の外側膨張部１３ｂの半径方向外側端１３ｄは、雄側係合部２２の内側膨張部２２ｂの半径方向内側端２２ｄよりもわずかに半径方向外側にあり、かつ半径方向外側端１３ｄは、半径方向外側端２２ｅの半径方向内側にある。内側膨張部２２ｂの半径方向内側端２２ｄは、雌側係合部１３の係合基部１３ａの半径方向外側面とほぼ同じ半径方向位置にある。また、雄側係合部２２の半径方向外側端２２ｅは、雌スナップ１０の周側壁１２の湾曲部１２ａの半径方向内側端１２ｃよりも若干半径方向内側にある。そして、雄スナップ２０の雄側係合部２２の内側膨張部２２ｂにおける半径方向の寸法（半径方向内側端２２ｄと半径方向外側端２２ｅとの間の寸法）は、雌スナップ１０の雌側係合部１３の外側膨張部１３ｂにおける半径方向の寸法（外側膨張部１３ｂの半径方向外側端１３ｄと外側膨張部１３ｂの半径方向内側端１３ｅとの間の寸法）よりも大きい。このため、雌スナップ１０と雄スナップ２０間の係合、脱係合が円滑に行えるとともに、雄側係合部２２が雌スナップ１０の周側壁１２と雌側係合部１３間の環状空間１６内に円滑に挿入できる。
【００２１】
雌スナップ１０と雄スナップ２０の係合は、図６の状態から雄スナップ２０の雄側係合部２２を、雌スナップ１０の周側壁１２と雌側係合部１３間の環状空間１６に挿入することによって行われる。図７は、雌スナップ１０と雄スナップ２０が係合した状態（以下「スナップ係合状態」ともいう。）を示す断面説明図である。雄スナップ２０の雄側係合部２２を雌スナップ１０の環状空間１６に挿入（ここでは挿入方向を下方とする）する際、まず、雄側係合部２２の内側膨張部２２ｂが雌側係合部１３の外側膨張部１３ｂに接触して、各雌側係合部１３を半径方向内側に撓ませる。なお、周方向に不連続な雌側係合部１３は、周方向に連続する雄側係合部２２に比べて半径方向内外に撓み易い。次いで、雄側係合部２２の内側膨張部２２ｂが雌側係合部１３の外側膨張部１３ｂを下方へと乗り越えて雌スナップ１０の環状空間１６に入り込むと、外側膨張部１３ｂが半径方向外側に復帰し、雄スナップ２０と雌スナップ１０の係合動作が完了する。スナップ係合状態において、雄側係合部２２が環状空間１６から抜けようとしても、雄側係合部２２の内側膨張部２２ｂが雌側係合部１３の外側膨張部１３ｂに引っ掛かり、これが離脱抵抗となって、両スナップ１０、２０間の安易な離脱（脱係合）が防止される。この離脱抵抗を上回る力で雄側係合部２２を環状空間１６から抜き取ることにより、雌スナップ１０と雄スナップ２０の脱係合が行われ、この時も、雄側係合部２２の内側膨張部２２ｂが雌側係合部２３の外側膨張部１３ｂを半径方向内側に一時的に撓ませる。雌スナップ１０の周側壁１２の底部１１からの高さは、雄スナップ２０の雄側係合部２２の底部２１からの高さよりも高いことで、図７に示すように、係合状態において、雄側係合部２２が雌スナップ１０に収容される。横引き力が加わった際に、雌スナップ１０および雄スナップ２０の生地１、２が近接させることができるため、モーメントの力を発生しにくい。
【００２２】
雌スナップ１０では、周側壁１２が雄スナップ２０の雄側係合部２２よりも大径であり、また、周側壁１２の湾曲部１２ａが半径方向内側に湾曲しているため、雌スナップ１０の環状空間１６に雄スナップ２０の雄側係合部２２を差し込む際に、雌スナップ１０に対する雄スナップ２０の位置や配向を正確に合わせる必要はない。以下にその例を述べる。図８は、雌スナップ１０に対し雄スナップ２０を斜めに（非同心状に）係合させようとしている状態を示す。衣類等に取り付けられた雄スナップ２０と雌スナップ１０の係合は、通常、図８に示すように斜めに行われる。この際、雄スナップ２０の雄側係合部２２の一部が雌スナップ１０の周側壁１２の湾曲部１２ａに単に接すれば、雄側係合部２２の全体が湾曲部１２ａの表面を滑るようにして環状空間１６に案内される（ガイド機能）。更に、雌側係合部１３の高さ（頂端１３ｃの位置）が周側壁１２の高さ（頂端１２ｂの位置）よりも若干低く設定されているため、雄側係合部２２の一部が、周側壁１２の湾曲部１２ａと、これより低い雌側係合部１３の外側膨張部１３ｂとの間に嵌り易く、これによっても上記ガイド機能が助長される。そのため、雌スナップ１０と雄スナップ２０の係合操作を正確な位置合わせ等を要することなく、容易かつ円滑に行うことができる。更にまた、雌スナップ１０のスナップ周側壁１２の湾曲部１２ａ及び雌側係合部１３の外側膨張部１３ｂ、並びに雄スナップ２０の内側膨張部２２ｂが湾曲しているため、衣服等が引っ掛かったり、使用者の皮膚等を傷付けるようなことはない。
【００２３】
スナップ係合状態において、生地１、２を介して雌スナップ１０と雄スナップ２０をそれぞれ水平方向逆向きに引っ張る、いわゆる横引き力が働いた場合、雌スナップ１０の軸線に対し雄スナップ２０の軸線がほぼ平行にずれ、図９に拡大して示すように、環状空間１６内において雄スナップ２０の雄側係合部２２が水平方向に変位する。この時、図１９に示される雌側係合部１３とは直径方向ほぼ反対側の雌側係合部１３は、図示はしないが、雄側係合部２２によって半径方向内側に撓まされる。上記水平変位した雄側係合部２２（図９参照）は、周方向に連続して撓み難い周側壁１２に突き当たって、それ以上の水平変位が制限される。この周側壁１２による雄側係合部２２の水平変位の制限は、雌側係合部１３が弾性変形可能な範囲とされる。そのため、雄側係合部１３が塑性変形するようなことはない。また、図示しない上記直径方向ほぼ反対側では、雄側係合部２２が雌側係合部１３を押圧して、前者の内側膨張部２２ｂと後者の外側膨張部１３ｂとが互いに引っ掛かって離脱抵抗となる。そのため、横引き力が働いても、雄スナップ２０は雌スナップ１０から容易には離脱しない。
【００２４】
図１０は、雌スナップの変形例を示す平面図であり、図１１は図１０のＣ−Ｃ線矢視断面図である。雌スナップ５０は、一枚の金属製の板から絞り加工等して形成されるもので、円板状の底部５１と、底部５１の周縁から立ち上がり、かつ周方向に連続する円環状の周側壁５２と、周側壁５２よりも半径方向内側において底部４１から立ち上がり、かつ周方向に等角度間隔で一例として六つ設けられた雌側係合部５３とを備える。各雌側係合部５３の周方向に占める角度範囲（以下、単に「周方向範囲」という。）は、雌スナップ１０の各雌側係合部１３の周方向範囲よりも大きく、そのため、周方向に隣り合う二つの雌側係合部５３間の間隔がスリットのように狭い。底部５１の中央には円形の孔部５４が設けられる。周側壁５２は、雌スナップ１０の周側壁１２と実質的に同じであり、湾曲部５２ａを有する。また、雌側係合部５３の、外側膨張部５３ｂを含む縦断面形状は、雌スナップ１０の雌側係合部１３と実質的に同じである。底部５１における周側壁５２と雌側係合部５３との間の底部外側領域５１ａには、各雌側係合部５３を形成するために底部５１を切開した扇形状の切開部５５が周方向に六つ設けられる。各切開部５５の周方向範囲も、図１に平面図で示す雌スナップ１０の各切開部１５の周方向範囲よりも大きい。そのため、底部外側領域５１ａにおける周方向に隣り合う二つの切開部５５間にそれぞれ残る非切開部５１ｃの周方向範囲は、雌スナップ１０の非切開部１１ｃに比べかなり狭い。そのため、雌スナップ５０では、底部５１の強度が不足するおそれがある。これを補うため、底部５１の各非切開部５１ｃに対応する部分に上方に凸となるリブ５７が設けられており、これが、図１０のＣ−Ｃ線断面図である図１２に示される。各リブ５７は、各非切開部５１ｃの周方向中央において半径方向に沿って延びるように設けられ、各リブ５７の半径方向外側端は周側壁５２に近接し、半径方向内側端は底部中央領域５１ｂに入り込む。
【００２５】
以上に述べた雌スナップ１０、５０は、雌側係合部１３、５３の高さが周側壁１２、５２の高さよりも低い例であるが、図１３に拡大して示すように、雌側係合部１３ｆの高さは周側壁１２（便宜的に雌スナップ１０の周側壁１２と同じ参照番号を用いる）と同じ高さであってもよい。
【００２６】
図１４及び１５は、第２スナップ部材である雄スナップの変形例である雄スナップ６０を示す平面図、及び雄スナップ６０を生地２ａに取り付けた状態を示す断面説明図である。雄スナップ６０は、一枚の金属板から形成され、略円板状で水平に沿う底部６１と、底部６１から立ち上がる、周方向に連続する円環状で二重板構造の雄側係合部６２とを備える。底部６１の中央には、雄スナップ６０を生地２ａに取り付ける際に、取付部材４０ａのベース部４１ａから突出するポスト部４２ａを受け入れるための円形の孔部６３が設けられる。底部６１は、雄側係合部６２から半径方向内側の底部中央部６１ａと、雄側係合部６２から半径方向外側の底部外側端部６１ｂとに区分される。雄側係合部６２は、底部中央部６１ａの半径方向外側端から上方にほぼ垂直に延びた後、半径方向内側に膨らんで内側膨張部６２ｂを成す半径方向内側板部６２ａと、底部外側端部６１ｂの半径方向内側端から上方にほぼ垂直に延びる半径方向外側板部６２ｃとを含み、半径方向内側板部６２ａと半径方向外側板部６２ｃは、雄側係合部６２の上端部で連結する。雄スナップ６０は、上述した雄スナップ２０と同様に雌スナップ１０と係合及び脱係合可能である。雄スナップ６０の内側膨張部６２ｂの半径方向内側端６２ｄは、雌スナップ１０の周側壁１２の湾曲部１２ａの半径方向内側端１２ｃよりも若干半径方向内側にある。また、雄スナップ６０の雄側係合部６２の内側膨張部６２ｂにおける半径方向の寸法（半径方向内側端６２ｄと半径方向外側板部６２ｃの外側面との間の水平に沿う寸法）は、雌スナップ１０の雌側係合部１３の外側膨張部１３ｂにおける半径方向の寸法よりも大きい。
【００２７】
また、以上の雌スナップ１０、５０は、別個のバネ部材を使用することなく一枚の金属板から形成可能であるため、軽量化を実現することができる。なお、以上の実施形態は単なる例示であり、特許請求の範囲及びその均等の範囲内で変更等が可能である。
【符号の説明】
【００２８】
１０、５０  雌スナップ（第１スナップ部材）
１１、５１  底部
１１ｃ、５１ｃ  非切開部
１２、５２  周側壁
１２ａ、５２ａ  湾曲部
１３、１３ｆ、５３  雌側係合部
１３ｂ、５３ｂ  外側膨張部
１５、５５  切開部
１６  環状空間
２０、６０  雄スナップ（第２スナップ部材）
２１、６１  底部
２２、６２  雄側係合部
２２ｂ、６２ｂ  内側膨張部
５７  リブ
【図１】
0005959515.tif 000002
【図２】
0005959515.tif 000003
【図３】
0005959515.tif 000004
【図４】
0005959515.tif 000005
【図５】
0005959515.tif 000006
【図６】
0005959515.tif 000007
【図７】
0005959515.tif 000008
【図８】
0005959515.tif 000009
【図９】
0005959515.tif 000010
【図１０】
0005959515.tif 000011
【図１１】
0005959515.tif 000012
【図１２】
0005959515.tif 000013
【図１３】
0005959515.tif 000014
【図１４】
0005959515.tif 000015
【図１５】
0005959515.tif 000016